(57)【要約】【課題】線画像を背景画像から見分けやすく印刷する。【解決手段】線画像の付加が指示されると、線画像処理部１１は、線画像の背景画像を解析し、線画像を印刷する際のパラメーター項目に対応して背景画像のパラメーター値を取得する。そして、線画像処理部１１は、線画像を印刷する際のパラメーター項目のパラメーター値を背景画像のパラメーター値と異なるパラメーター値に設定する。【選択図】図２
2016034077.tif 000002
【特許請求の範囲】
【請求項１】
線画像の背景画像を解析し、前記線画像を印刷する際のパラメーター項目に対応して前記背景画像のパラメーター値を取得し、前記線画像を印刷する際の前記パラメーター項目のパラメーター値を前記背景画像の前記パラメーター値と異なるパラメーター値に設定する線画像処理部を備えた
ことを特徴とする画像形成装置。
【請求項２】
前記線画像は前記パラメーター項目に対応する複数の前記パラメーター値を有し、
前記線画像処理部は、
前記線画像の前記複数のパラメーター値の中に前記背景画像と異なるパラメーター値がない場合には、前記背景画像を複数領域に分割して各前記領域について前記パラメーター項目に対応するパラメーター値を取得し、各前記領域毎に前記線画像を印刷する際のパラメーター値を前記領域のパラメーター値と異なるパラメーター値に設定する
ことを特徴とする請求項１に記載の画像形成装置。
【請求項３】
パラメーターテーブルは、
複数の前記パラメーター項目と前記パラメーター項目毎に複数のパラメーター値を有し、
前記線画像処理部は、
前記線画像の前記複数のパラメーター項目の全てのパラメーター値を前記背景画像のパラメーター値と異なるパラメーター値に設定する
ことを特徴とする請求項１又は２に記載の画像形成装置。
【請求項４】
前記線画像処理部は、
ページ毎に前記線画像のパラメーター値を設定する
ことを特徴とする請求項１から３までのいずれか１項に記載の画像形成装置。
【発明の詳細な説明】
【技術分野】
【０００１】
本発明は、切り取り線や折れ線等の線画像を付加して印刷できる画像形成装置に関する。
【背景技術】
【０００２】
画像形成装置においては、山折り、谷折り、切り取り線等の位置を示す線画像を付加して印刷できるものがある。例えば、山折り線と谷折り線を印刷する際に、山折り線と谷折り線間で、線の色、太さ、形状を区別して分かりやすく印刷する技術が知られている（例えば、特許文献１を参照）。
【先行技術文献】
【特許文献】
【０００３】
【特許文献１】特開2002-341773号公報
【発明の概要】
【発明が解決しようとする課題】
【０００４】
しかしながら、従来の技術では、線画像を印刷した際に、線画像と背景画像との間で、線の色、形状、太さ、濃度などが似てしまうことがあり、ユーザーが間違って用紙を折り曲げたり切り取ったりしてしまうという問題があった。
【０００５】
本発明は上記課題に鑑みてなされたものであり、上記課題を解決することができる技術を提供することを目的とする。
【課題を解決するための手段】
【０００６】
本発明の画像形成装置は、線画像の背景画像を解析し、前記線画像を印刷する際のパラメーター項目に対応して前記背景画像のパラメーター値を取得し、前記線画像を印刷する際の前記パラメーター項目のパラメーター値を前記背景画像の前記パラメーター値と異なるパラメーター値に設定する線画像処理部を備えたことを特徴とする。
また、前記線画像は前記パラメーター項目に対応する複数の前記パラメーター値を有し、前記線画像処理部は、前記線画像の前記複数のパラメーター値の中に前記背景画像と異なるパラメーター値がない場合には、前記背景画像を複数領域に分割して各前記領域について前記パラメーター項目に対応するパラメーター値を取得し、各前記領域毎に前記線画像を印刷する際のパラメーター値を前記領域のパラメーター値と異なるパラメーター値に設定してもよい。
また、パラメーターテーブルは、複数の前記パラメーター項目と前記パラメーター項目毎に複数のパラメーター値を有し、前記線画像処理部は、前記線画像の前記複数のパラメーター項目の全てのパラメーター値を前記背景画像のパラメーター値と異なるパラメーター値に設定してもよい。
また、前記線画像処理部は、ページ毎に前記線画像のパラメーター値を設定してもよい。
【発明の効果】
【０００７】
本発明によれば、線画像を背景画像から見分けやすく印刷することができる技術を提供できる。
【図面の簡単な説明】
【０００８】
【図１】本発明に係る実施形態の画像形成装置の断面模式図である。
【図２】図１に示す画像形成装置の構成を示すブロック図である。
【図３】図２に示すパラメーターテーブルの構成例である。
【図４】図２に示す線画像処理部の処理の流れを示すフローチャートである。
【図５】線画像と背景画像とを示したイメージ図である。
【図６】図５に示す背景画像を分割した様子を示したイメージ図である。
【発明を実施するための形態】
【０００９】
次に、本発明の実施の形態を、図面を参照して具体的に説明する。
本発明の実施の形態の画像形成装置１００は、複写機能、印刷機能、スキャナー機能等を有する複合機であり、図１を参照すると、原稿読取部１２０と、原稿給送部１３０と、記録部１４０とを備えている。原稿読取部１２０は、記録部１４０の上部に配設され、原稿給送部１３０は、原稿読取部１２０の上部に配設されている。
【００１０】
画像形成装置１００の手前側には、画像形成装置１００の設定や動作指示を行う操作パネル４が配設されている。操作パネル４は、タッチパネル４１、操作ボタン４２が設けられている。ユーザーは操作パネル４を操作して指示を入力することで、画像形成装置１００の各種の設定を行い、画像形成等の各種機能を実行させる。タッチパネル４１は、操作入力を受け付ける各種操作キーを表示する表示部の表示面に設けられ、操作者の指先やスタイラス等の押圧による入力を検知し、入力が検知された位置に対応する信号を出力することで、表示部に表示された操作キーへの操作を受け付ける。操作ボタン４２としては、画像形成を開始するようにユーザーが指示するスタートボタン、画像形成を中止する際等に使用するストップ／クリアボタン、画像形成装置１００の各種設定をデフォルト状態にする際に使用するリセットボタン、テンキー等が設けられている。
【００１１】
原稿読取部１２０は、スキャナー１２１と、プラテンガラス１２２と、原稿読取スリット１２３とを備えている。スキャナー１２１は、露光ランプ及びＣＣＤ（Charge Coupled Device）センサー等から構成され、原稿給送部１３０による原稿ＭＳの搬送方向に移動可能に構成されている。プラテンガラス１２２は、ガラス等の透明部材により構成された原稿台である。原稿読取スリット１２３は、原稿給送部１３０による原稿ＭＳの搬送方向と直交方向に形成されたスリットを有する。
【００１２】
原稿給送部１３０は、可倒式に構成され、原稿給送部１３０を上方に持ち上げることで、プラテンガラス１２２の上面を開放させ、原稿ＭＳをプラテンガラス１２２に載置することができる。プラテンガラス１２２に載置された原稿ＭＳを読み取る場合には、スキャナー１２１は、プラテンガラス１２２に対向する位置に移動され、プラテンガラス１２２に載置された原稿ＭＳを走査しながら原稿ＭＳを読み取って画像データを取得する。
【００１３】
また、原稿給送部１３０は、原稿載置部１３１と、原稿排出部１３２と、原稿搬送機構１３３とを備えている。原稿載置部１３１に載置された原稿ＭＳは、原稿搬送機構１３３によって、１枚ずつ順に繰り出されて、原稿読取部１２０の原稿読取スリット１２３に対向する位置へ搬送され、その後、原稿排出部１３２に排出される。原稿給送部１３０により搬送された原稿ＭＳを読み取る場合には、スキャナー１２１は、原稿読取スリット１２３と対向する位置に移動され、原稿読取スリット１２３を介し、原稿給送部１３０による原稿ＭＳの搬送動作と同期して原稿ＭＳを読み取って画像データを取得する。
【００１４】
記録部１４０は、画像形成部１５０を備えると共に、給紙部１６０と、搬送路１７０と、搬送ローラー１８１と、排出ローラー１８２と、胴内排出トレイ１９０とを備えている。排紙部である胴内排出トレイ１９０は、原稿読取部１２０と記録部１４０との間に形成された排紙空間１９１に設けられている。
【００１５】
給紙部１６０は、記録紙Ｐを収納する給紙カセット１６１ａ〜ｄと、給紙カセット１６１ａ〜ｄから記録紙Ｐを１枚ずつ搬送路１７０に繰り出す給紙ローラー１６２とを備えている。給紙ローラー１６２、搬送ローラー１８１及び排出ローラー１８２が搬送部として機能し、記録紙Ｐが搬送される。給紙ローラー１６２によって搬送路１７０に繰り出された記録紙Ｐは、搬送ローラー１８１によって画像形成部１５０に搬送される。
【００１６】
画像形成部１５０は、感光体ドラム１５１と、帯電部１５２と、露光部１５３と、現像部１５４と、転写部１５５と、クリーニング部１５６と、定着部１５７とを備えている。露光部１５３は、レーザー装置やミラー等を備えた光学ユニットである。露光部１５３は、画像データに基づいてレーザー光を出力して、帯電部１５２によって帯電された感光体ドラム１５１を露光し、感光体ドラム１５１の表面に静電潜像を形成する。現像部１５４は、トナーを用いて感光体ドラム１５１に形成された静電潜像を現像する現像ユニットである。現像部１５４は、静電潜像に基づいたトナー像を感光体ドラム１５１上に形成させる。転写部１５５は、現像部１５４によって感光体ドラム１５１上に形成されたトナー像を記録紙Ｐに転写させる。定着部１５７は、転写部１５５によってトナー像が転写された記録紙Ｐを加熱してトナー像を記録紙Ｐに定着させる。
【００１７】
画像形成部１５０によって記録が施された記録紙Ｐは、排出ローラー１８２に導かれて胴内排出トレイ１９０に印刷物として出力される。
【００１８】
図２には、画像形成装置１００の概略構成を示すブロック図が示されている。上述の操作パネル４、原稿読取部１２０、原稿給送部１３０、画像形成部１５０及び搬送部（給紙ローラー１６２、搬送ローラー１８１、排出ローラー１８２）は、制御部１に接続され、制御部１によって動作制御される。また、制御部１には、記憶部２と、画像処理部３とが接続されている。
【００１９】
記憶部２は、原稿読取部１２０によって原稿を読み取ることで取得された画像データが記憶される、半導体メモリやＨＤＤ（Hard Disk Drive）等の記憶手段である。また、記憶部２は、線画像を印刷する際に用いられるパラメーターテーブル２１を記憶している。
【００２０】
図３に示すように、パラメーターテーブル２１は、複数のパラメーター項目と、各パラメーター項目のパラメーター値とで構成されている。パラメーター項目としては、「色」、「形状」、「太さ」、「濃度」が設けられている。また、各パラメーター項目に対して複数のパラメーター値が設けられており、例えばパラメーター項目が「色」である場合のパラメーター値としては、「赤」、「青」、「白」がある。なお、図３に示すパラメーター項目、パラメーター値の数や種類は一例であり、適宜設定されればよい。
【００２１】
画像処理部３は、画像データに対して所定の画像処理を行う手段である。画像処理部３では、例えば、拡大縮小処理や、濃度調整、階調調整等の画像改善処理が行われる。
【００２２】
制御部１は、ＲＯＭ（Read Only Memory）、ＲＡＭ（Random Access Memory）等を備えたマイクロコンピュータ等の情報処理部である。ＲＯＭには画像形成装置１００の動作制御を行うための制御プログラムが記憶されている。制御部１は、ＲＯＭに記憶されている制御プログラムを読み出し、制御プログラムをＲＡＭに展開させることで、操作パネル４から入力された所定の指示情報に応じて装置全体の制御を行う。また、制御部１は、操作パネル４を介して原稿画像に折れ線や切り取り線、糊しろ線等の線画像を付加する指示がされた場合に、線画像を原稿画像に付加する線画像処理部１１として機能する。なお、本実施形態では、操作パネル４を介して線画像を付加する場合を例に説明するが、線画像処理部１１の機能を実現するプログラムをプリンタードライバーに組み込み、プリンタードライバーを介して線画像を付加できるようにしてもよい。
【００２３】
図４を参照して、線画像処理部１１の処理の流れを説明する。
【００２４】
線画像処理部１１は、操作パネル４を介して線画像の付加が指示されたか否かを判定し（ステップｓ１０）、線画像の付加が指示されなかった場合には（ステップｓ１０でＮｏ）、本処理を終了する。この場合、線画像が付加されずに原稿画像が印刷される。
【００２５】
一方、線画像の付加が指示された場合（ステップｓ１０でＹｅｓ）、線画像処理部１１は、図５に示すように、付加する線画像８１の背景画像（線画像８１の付加位置から所定範囲にある原稿画像であり、図５では斜線部分）８２の色情報や輝度情報などを解析し（ステップｓ１１）、背景画像８２について線画像８１のパラメーターテーブル２１における各パラメーター項目に対応するパラメーター値を取得する（ステップｓ１２）。これにより、線画像８１の各パラメーター項目に対応して、背景画像８２で使用されているパラメーター値が取得される。背景画像８２で複数の色や線の形状、太さ、濃度が使用されている場合には、１つのパラメーター項目に対して複数のパラメーター値が取得される。なお、背景画像８２は原稿画像全体であってもよい。
【００２６】
つづいて、線画像処理部１１は、線画像８１の全てのパラメーター項目において背景画像８２で使用されていないパラメーター値があるか否かを判定する（ステップｓ１３）。つまり、線画像８１の各パラメーター項目のパラメーター値の中に背景画像８２のパラメーター値と異なるパラメーター値があるか判定する。
【００２７】
例えば、図５に示すように、線画像８１のパラメーター項目「色」に対応する背景画像８２のパラメーター値が「青」と「白」と「グレー」であったとする。この場合、図３に示すパラメーターテーブル２１のパラメーター項目「色」において、背景画像８２で使用されていないパラメーター値は「赤」となる。なお、パラメーターテーブル２１において背景画像８２で使用されていないパラメーター値が複数ある場合には、予め設定された優先順位の高いパラメーター値が選択されるようにしてもよい。
【００２８】
線画像８１の全てのパラメーター項目において、背景画像８２で使用されていないパラメーター値があった場合には（ステップｓ１３でＹｅｓ）、線画像処理部１１は、線画像８１の各パラメーター項目のパラメーター値を背景画像８２で使用されていないパラメーター値に設定し（ステップｓ１４）、本処理を終了する。この後、設定されたパラメーター値で線画像８１が原稿画像に付加されて印刷される。
【００２９】
一方、線画像８１の全てのパラメーター項目において背景画像８２で使用されていないパラメーター値がなかった場合（ステップｓ１３でＮｏ）、つまり、線画像８１のパラメーター項目のうち１つでも、そのパラメーター項目における全てのパラメーター値が背景画像８２で使用されていた場合には、線画像処理部１１は、線画像８１の背景画像８２を複数領域に分割する（ステップｓ１５）。
【００３０】
つづいて、線画像処理部１１は、分割した背景画像領域のそれぞれについて色情報や輝度情報などを解析し（ステップｓ１６）、各背景画像領域について線画像８１の各パラメーター項目に対応するパラメーター値を取得する（ステップｓ１７）。例えば、図６に示すように、背景画像８２が第１の背景画像領域８３と第２の背景画像領域８４に２分割された場合には、第１の背景画像領域８３と第２の背景画像領域８４のそれぞれについて、線画像８１の各パラメーター項目に対応するパラメーター値が取得される。
【００３１】
つづいて、線画像処理部１１は、線画像８１の全てのパラメーター項目で、分割した各背景画像領域毎に使用されていないパラメーター値があるか否かを判定する（ステップｓ１８）。そして、線画像８１の全てのパラメーター項目において各背景画像領域毎に使用されていないパラメーター値があった場合には（ステップｓ１８でＹｅｓ）、線画像処理部１１は、線画像８１の各パラメーター値を分割された各背景画像領域毎に使用されていないパラメーター値に設定し（ステップｓ２０）、本処理を終了する。この後、設定されたパラメーター値で線画像８１が原稿画像に付加されて印刷される。
【００３２】
一方、線画像８１の全てのパラメーター項目で各背景画像領域毎に使用されていないパラメーター値がなかった場合には（ステップｓ１８でＮｏ）、線画像処理部１１は、線画像８１の背景画像８２を更に細かく複数領域に分割し（ステップｓ１９）、ステップｓ１６に処理を戻す。そして、線画像８１の全てのパラメーター項目で各背景画像領域毎に使用されていないパラメーター値があるまで、ステップｓ１６〜１９の処理が繰り返される。
【００３３】
以上の処理により、画像形成装置１００は、線画像８１を印刷する際の色や形状等のパラメーター値を背景画像８２のパラメーター値と異なるパラメーター値に設定するので、線画像８１を背景画像８２から見分けやすく印刷することができる。
【００３４】
本発明は上述した実施の形態に限定されるものではなく、本発明の趣旨を逸脱しない範囲で種々様々に変更が可能であることは言うまでもない。
【００３５】
例えば、複数のページに亘って線画像８１を付加する場合には、線画像処理部１１は、ページ毎に上記実施形態を適用してもよい。これによれば、ページ単位毎にユーザーが見やすい形で線画像８１を印刷することができる。また、画像形成装置１００は、線画像処理部１１により線画像８１のパラメーター値を自動的に設定するオートモードと、ユーザーにより線画像８１のパラメーター値を指定させるマニュアルモードとを備えてもよい。
【符号の説明】
【００３６】
１  制御部
２  記憶部
３  画像処理部
４  操作パネル
１１  線画像処理部
２１  パラメーターテーブル
４１  タッチパネル
４２  操作ボタン
８１  線画像
８２  背景画像
８３  第１の背景画像領域
８４  第２の背景画像領域
１００  画像形成装置
１２０  原稿読取部
１２１  スキャナー
１２２  プラテンガラス
１２３  原稿読取スリット
１３０  原稿給送部
１３１  原稿載置部
１３２  原稿排出部
１３３  原稿搬送機構
１４０  記録部
１５０  画像形成部
１５１  感光体ドラム
１５２  帯電部
１５３  露光部
１５４  現像部
１５５  転写部
１５６  クリーニング部
１５７  定着部
１６０  給紙部
１６１ａ〜ｄ  給紙カセット
１６２  給紙ローラー
１７０  搬送路
１８１  搬送ローラー
１８２  排出ローラー
１９０  胴内排出トレイ
１９１  排紙空間
【図１】
2016034077.tif 000003
【図２】
2016034077.tif 000004
【図３】
2016034077.tif 000005
【図４】
2016034077.tif 000006
【図５】
2016034077.tif 000007
【図６】
2016034077.tif 000008